(57)【要約】【課題】筐体内部に音響を発生する複数の音源部を備える携帯電子機器において、各音源部から発生する音響の相互干渉を防止できると共に、デザイン性向上を図ることができるようにする。【解決手段】筐体３に、複数の音源部２５，２７から発生する音響を前記筐体３内部から外方まで個別に通過させる複数の放音孔５１，５３が形成され、隣接する一対の放音孔５１，５３の内壁面のうち、相互に隣接する側の部分が、外方に露出する前記筐体３の表面３ｅに向けて垂直に延びる垂直面５１ａ，５３ａに形成されると共に、該垂直面５１ａ，５３ａに対向する部分が、前記筐体３の表面３ｅに向けて前記垂直面５１ａ，５３ａに対して漸次離間して延びる傾斜面５１ｂ，５３ｂに形成される携帯電子機器を提供する。【選択図】      図５
2007124000.tif 000002
【特許請求の範囲】
【請求項１】
筐体内部に電気信号を音響に変換する音源部を複数設けた携帯電子機器であって、
前記筐体に、前記複数の音源部から発生する音響を前記筐体内部から外方まで個別に通過させる複数の放音孔が形成され、
隣接する一対の放音孔の内壁面のうち、相互に隣接する側の部分が、外方に露出する前記筐体の表面に向けて垂直に延びる垂直面に形成されると共に、該垂直面に対向する部分が、前記筐体の表面に向けて前記垂直面に対して漸次離間して延びる傾斜面に形成されることを特徴とする携帯電子機器。
【請求項２】
筐体内部に電気信号を音響に変換する音源部を複数設けた携帯電子機器であって、
前記筐体に、前記複数の音源部から発生する音響を前記筐体内部から外方まで個別に通過させる複数の放音孔が形成され、
前記複数の放音孔が、前記筐体の表面に向けて相互に離間する方向に延びるように形成されていることを特徴とする携帯電子機器。
【請求項３】
前記複数の音源部が、各放音孔に対向するように相互に間隔をおいて前記筐体の内面に配され、
前記筐体の内面から、各音源部の周囲を個別に囲繞する複数の隔壁部が突出して形成されていることを特徴とする請求項１又は請求項２に記載の携帯電子機器。
【請求項４】
前記複数の隔壁部のうち、少なくとも相互に対向する部分が、前記音源部の厚さ寸法よりも高く形成された段差壁部となっていることを特徴とする請求項３に記載の携帯電子機器。
【請求項５】
前記筐体の内部に、前記筐体と共に前記複数の音源部を挟み込む回路基板が設けられ、
前記段差壁部の先端が、前記複数の音源部に対向する前記回路基板の表面に当接することを特徴とする請求項４に記載の携帯電子機器。
【請求項６】
前記筐体から突出する前記隔壁部の高さ寸法が、前記音源部の厚さ寸法以上であることを特徴とする請求項３から請求項５のいずれか１項に記載の携帯電子機器。
【請求項７】
前記隔壁部の周方向の一部に、前記筐体の内面まで到達する切欠部が形成されていることを特徴とする請求項３から請求項６のいずれか１項に記載の携帯電子機器。
【請求項８】
前記筐体が別途筐体と相互に開閉可能となるように、連結部により前記筐体及び前記別途筐体とを相互に回動可能に連結していることを特徴とする請求項１から請求項７のいずれか１項に記載の携帯電子機器。
【発明の詳細な説明】
【技術分野】
【０００１】
この発明は、音響を発生する複数の音源部を備える携帯電子機器に関する。
【背景技術】
【０００２】
従来より、携帯電話機、携帯ラジオやノート型パーソナルコンピュータ等の携帯電子機器としては、筐体内部に複数の音源を備えたものがある（例えば、特許文献１参照。）。この種の携帯電子機器においては、筐体に各音源から発生する音響を個別に筐体の内部から外部に伝播させるための放音孔が複数形成されている。
また、筐体の表面には放音孔と同数の放音面が形成されており、各放音面に個々の放音孔が露出するように設定されている。そして、これら複数の放音面が相互に対向しない異なる方向に面するように、筐体の外観形状を形成することで、各音源から発生した音響が筐体の外方において干渉することを防止している。
【特許文献１】特開２００３−１５２８３７号公報
【発明の開示】
【発明が解決しようとする課題】
【０００３】
しかしながら、上記従来の携帯電子機器においては、筐体に複数の放音面を形成する必要があるため、筐体の外観形状に制約が発生して携帯電子機器のデザイン性が低下すると言う虞がある。
この発明は、上述した事情に鑑みてなされたものであって、筐体内部に複数の音源を設けても、各音源から発生する音響の干渉を防止できると共に、デザイン性向上を図ることができる携帯電子機器を提供することを目的としている。
【課題を解決するための手段】
【０００４】
上記課題を解決するために、この発明は以下の手段を提案している。
本発明に係る携帯電子機器は、筐体内部に電気信号を音響に変換する音源部を複数設けた携帯電子機器であって、前記筐体に、前記複数の音源部から発生する音響を前記筐体内部から外方まで個別に通過させる複数の放音孔が形成され、隣接する一対の放音孔の内壁面のうち、相互に隣接する側の部分が、外方に露出する前記筐体の表面に向けて垂直に延びる垂直面に形成されると共に、該垂直面に対向する部分が、前記筐体の表面に向けて前記垂直面に対して漸次離間して延びる傾斜面に形成されることを特徴とする。
【０００５】
また、本発明に係る携帯電子機器は、筐体内部に電気信号を音響に変換する音源部を複数設けた携帯電子機器であって、前記筐体に、前記複数の音源部から発生する音響を前記筐体内部から外方まで個別に通過させる複数の放音孔が形成され、前記複数の放音孔が、前記筐体の表面に向けて相互に離間する方向に延びるように形成されていることを特徴とする。
【０００６】
さらに、本発明に係る携帯電子機器は、前記複数の音源部が、各放音孔に対向するように相互に間隔をおいて前記筐体の内面に配され、前記筐体の内面から、各音源部の周囲を個別に囲繞する複数の隔壁部が突出して形成されていることを特徴とする。
また、本発明に係る携帯電子機器は、前記複数の隔壁部のうち、少なくとも相互に対向する部分が、前記音源部の厚さ寸法よりも高く形成された段差壁部となっていることを特徴とする。
【０００７】
さらに、本発明に係る携帯電子機器は、前記筐体の内部に、前記筐体と共に前記複数の音源部を挟み込む回路基板が設けられ、前記段差壁部の先端が、前記複数の音源部に対向する前記回路基板の表面に当接することを特徴とする。
また、本発明に係る携帯電子機器は、前記筐体から突出する前記隔壁部の高さ寸法が、前記音源部の厚さ寸法以上であることを特徴とする。
【０００８】
さらに、本発明に係る携帯電子機器は、前記隔壁部の周方向の一部に、前記筐体の内面まで到達する切欠部が形成されていることを特徴とする。
また、本発明に係る携帯電子機器は、前記筐体が別途筐体と相互に開閉可能となるように、連結部により前記筐体及び前記別途筐体とを相互に回動可能に連結していることを特徴とする。
【発明の効果】
【０００９】
この発明によれば、各音源部から発生した音響は、各放音孔の垂直面や傾斜面に沿うように、若しくは、筐体の表面に向けて相互に離間するように各放音孔を通過するため、筐体の外方に到達しても相互に平行な方向若しくは相互に離間する方向に伝播することになる。したがって、複数の放音孔を同一の平坦な筐体の表面に露出させたとしても、これら複数の音響が筐体の外方において相互に干渉することを防止できる。
また、複数の放音孔を同一の平坦な筐体表面に露出させることができるため、音源部や放音孔の配置に左右されることなく、筐体の外観形状を形成することが可能となり、筐体のデザイン性向上を容易に図ることができる。
【発明を実施するための最良の形態】
【００１０】
図１から図５は本発明に係る一実施形態を示しており、ここで説明する実施の形態は、この発明を携帯電話機に適用した場合のものである。
図１に示すように、この実施の形態に係る携帯電話機（携帯電子機器）１は、第１の筐体（別途筐体）２と、この第１の筐体２の厚さ方向に重ね合わせ可能な第２の筐体３と、これら２つの筐体２，３を相互に折り畳み自在に連結するヒンジ部５とを備えている。なお、ヒンジ部（連結部）５は、２つの筐体２，３の各端部２ａ，３ａ（以下、基端部２ａ，３ａと呼ぶ。）同士を連結するように配されている。
【００１１】
第１の筐体２の内部には、通話キー、終話キー等の各種の押圧可能な操作キー６を備えたキー操作部７及び通話用のマイクロフォン部９が設けられている。キー操作部７の各操作キー６は、２つの筐体２，３を相互に重ね合わせた状態において第２の筐体３に対向する第１の筐体２の対向面２ｃから外方に露出している。マイクロフォン部９は、基端部２ａとは反対側に位置する第１の筐体２の先端部２ｂ側に配されており、第１の筐体２の対向面２ｃから第１の筐体２の内部空間に貫通する開口部２ｄを介して外方に露出している。なお、図中の符号１１は、基地局と無線通信を行うためのアンテナである。
【００１２】
図１，２に示すように、第２の筐体３の内部には、ＬＣＤ（Liquid Crystal Display）等、各種情報を表示する表示面１３ａ，１５ａを有する２つの表示部１３，１５、通話用のスピーカ部１７及び、通話・通信の着信音やアラーム等の各種情報を音響により報知するスピーカユニット１９が設けられている。
第１の表示部１３の表示面１３ａは、２つの筐体２，３を相互に重ね合わせた状態において第１の筐体２に対向する第２の筐体３の対向面３ｃから外方に露出している。スピーカ部１７は、基端部３ａとは反対側に位置する第２の筐体３の先端部３ｂに配されており、第２の筐体３の対向面３ｃから第２の筐体３の内部空間に貫通する開口部３ｄを介して外方に露出している。
また、第２の表示部１５の表示面１５ａは、２つの筐体２，３の開閉状態にかかわらず、対向面３ｃとは反対側に位置する第２の筐体３の外面（表面）３ｅから外方に露出している。
【００１３】
なお、第２の筐体３は、その対向面３ｃ側を構成するフロントケース２１、及び、その外面３ｅ側を構成するリアケース２３を備えており、これらフロントケース２１及びリアケース２３は、互いに第２の筐体３の厚さ方向に結合可能となっている。
スピーカユニット１９は、図２〜４に示すように、電気信号を音響に変換する２つのスピーカ部（音源部）２５，２７を備えており、これら２つのスピーカ部２５，２７は、略円柱状に形成されており、相互に間隔をおいて外面３ｅと反対側に位置するリアケース２３の内面２３ａに配されている。
【００１４】
各スピーカ部２５，２７の周囲には、それぞれ平面視略円環状の隔壁部２９，３１がリアケース２３の内面２３ａから突出して形成されており、これら２つの隔壁部２９，３１の内径寸法は各スピーカ部２５，２７の外径寸法と略等しくなっている。すなわち、２つの隔壁部２９，３１の内周面は各スピーカ部２５，２７の外周面に接触することになり、この接触により、各スピーカ部２５，２７がリアケース２３の内面２３ａに沿う方向に移動することを防止している。
【００１５】
２つの隔壁部２９，３１のうち相互に対向する部分は、各スピーカ部２５，２７の厚さ寸法よりも高く形成された段差壁部３３，３５となっており、これら段差壁部３３，３５の先端は、リアケース２３の内面２３ａに対向して配された回路基板３７の表面３７ａに当接している。なお、上記回路基板３７は、リアケース２３と共に２つのスピーカ部２５，２７を挟み込むように第２の筐体３の内部に配されている。また、回路基板３７の表面３７ａは各スピーカ部２５，２７の下端面２５ｂ，２７ｂに設けられたばね端子３９，４１に当接しており、これにより回路基板３７と各スピーカ部２５，２７とが電気的に接続されることになる。
【００１６】
各段差壁部３３，３５の周方向の一部には、各スピーカ部２５，２７の下端面２５ｂ，２７ｂに係合する係合爪４３，４５が形成されており、係合爪４３，４５の先端には、環状の隔壁部２９，３１の径方向内方に突出する鉤部４３ａ，４５ａが形成されている。そして、この鉤部４３ａ，４５ａはスピーカ部２５，２７の下端面２５ｂ，２７ｂに当接させるように構成されている。したがって、各スピーカ部２５，２７をリアケース２３の内面２３ａに配した状態においては、リアケース２３の内面２３ａと係合爪４３，４５の鉤部４３ａ，４５ａとによりスピーカ部２５，２７をその厚さ方向から挟み込むことになり、各スピーカ部２５，２７がリアケース２３の内面２３ａから離間する方向に移動することを防止している。
なお、各係合爪４３，４５の周方向の両端には、リアケース２３の内面２３ａに向けて窪む切欠部４７ａ，４７ｂ，４９ａ，４９ｂが一対形成されており、係合爪４３，４５が環状の隔壁部２９，３１の径方向に弾性的に撓むことができるようになっている。
【００１７】
なお、前述のように各々の段差壁部３３，３５に形成された一方の切欠部４７ａ，４９ａは、リアケース２３の内面２３ａにまで到達するように形成されている。また、２つの隔壁部２９，３１の間には、各リアケース２３の内面２３ａに配置された表示部１５の一部や、回路基板に搭載される電子部品１６が位置するようになっており、２つの隔壁部２９，３１に形成された切欠部４７ａ，４７ｂ，４９ａ，４９ｂを隔てる隔壁部としての役割を果たしている。
以上のように構成された２つの隔壁部２９，３１の高さ寸法は、前述した段差壁部３３，３５及び切欠部４７ａ，４７ｂ，４９ａ，４９ｂを除いて各スピーカ部２５，２７の厚さ寸法と略同等となっている。
【００１８】
上述のようにリアケース２３の内面２３ａに配された２つのスピーカ部２５，２７は、第２の筐体３の外面３ｅから第２の筐体３の内部空間に貫通して形成された一対の放音孔５１，５３のそれぞれを介して、外方に露出している。これら一対の放音孔５１，５３は、リアケース２３の内面２３ａに対向する各スピーカ部２５，２７の上端面２５ａ，２７ａから放音される音響を第２の筐体３の内部から外方まで個別に通過させる役割を果たすものである。また、一対の放音孔５１，５３は、それぞれ平面視略長方形状に形成されており、その長手方向が相互に略平行となるように形成されている。
【００１９】
さらに、図５に示すように、一対の放音孔５１，５３の内壁面のうち相互に隣接する側の部分は、リアケース２３の内面２３ａから外面３ｅに向けて垂直に延びる垂直面５１ａ，５３ａに形成されている。また、この垂直面５１ａ，５３ａに対向する各放音孔５１，５３の内壁面は、第２の筐体３の外面３ｅに向けて垂直面５１ａ，５３ａに対して漸次離間して延びる傾斜面５１ｂ，５３ｂに形成されている。
【００２０】
上記のように、この携帯電話機１によれば、各スピーカ部２５，２７から発生した音響が各放音孔５１，５３の垂直面５１ａ，５３ａや傾斜面５１ｂ，５３ｂに沿うように各放音孔５１，５３を通過するため、第２の筐体３の外方に到達しても相互に平行な方向若しくは相互に離間する方向に伝播することになる。したがって、２つの放音孔５１，５３を同一の平坦な第２の筐体３の外面３ｅに露出させたとしても、これら２つの放音孔５１，５３から放音される音響が第２の筐体３の外方において相互に干渉することを防止できる。特に、上述の干渉防止は、一対の放音孔５１，５３を第２の筐体３のうち、同一の平坦な外面３ｅに露出させても達成することができるため、２つのスピーカ部２５，２７や放音孔５１，５３の配置に左右されることなく、第２の筐体３の外観形状を形成することが可能となり、携帯電話機１のデザイン性向上を容易に図ることができる。
そして、これら放音孔５１，５３は第２の筐体３の外面３ｅに形成されているため、２つの筐体２，３の開閉状態に関わらず、通話・通信の着信音やアラーム等の音響をステレオ感覚で聴くことが可能となる。
【００２１】
また、各スピーカ部２５，２７を各放音孔５１，５３に対向するようにリアケース２３の内面２３ａに配すると共に、各スピーカ部２５，２７の周囲にそれぞれ環状の隔壁部２９，３１を形成しておくことで、各スピーカ部２５，２７から発生した音響が第２の筐体３の内部空間に漏れたとしても各々の隔壁部２９，３１により遮蔽することが可能となる。特に、相互に対向する２つの隔壁部２９，３１の一部に各スピーカ部２５，２７の厚さ寸法よりも高い段差壁部３３，３５を形成したり、段差壁部３３，３５の先端を回路基板３７の表面３７ａに当接させる、また、上記隔壁部２９，３１の高さ寸法をスピーカ部２５，２７の厚さ寸法と略同等とすることで、各スピーカ部２５，２７から発生する音響を段差壁部３３，３５において確実に遮蔽することが可能となる。したがって、２つのスピーカ部２５，２７から発生する音響が第２の筐体３の内部空間で相互に干渉することを確実に防止できる。
【００２２】
また、各隔壁部２９，３１に、リアケース２３の内面２３ａにまで到達する切欠部４７ａ，４９ａを形成しておくことにより、この切欠部４７ａ，４９ａを利用してスピーカ部２５，２７を容易に取り外すことが可能となる。したがって、スピーカ部２５，２７の交換を簡便に行うことができ、携帯電話機１のメンテナンスを容易に行うことができる。
【００２３】
なお、上記の実施形態において、スピーカ部２５，２７を交換するための切欠部４７ａ，４９ａは、係合爪に隣接して形成されるとしたが、これに限ることはなく、少なくとも隔壁部２９，３１の周方向の一部に形成されていればよい。
また、２つの隔壁部２９，３１のうち相互に対向する部分に段差壁部３３，３５が形成され、かつ、２つの隔壁部２９，３１の高さ寸法は段差壁部３３，３５及び切欠部４７ａ，４７ｂ，４９ａ，４９ｂを除いて各スピーカ部２５，２７の厚さ寸法と略同等に設定されるとしたが、これに限ることはなく、例えば、各隔壁部２９，３１の全体がスピーカ部２５，２７の厚さ寸法よりも高く形成されるとしても構わない。
【００２４】
この構成の場合には、２つの隔壁部２９，３１の先端を回路基板３７の表面３７ａに当接させることが可能となるため、各スピーカ部２５，２７を配した空間を第２の筐体３の他の内部空間から隔離することができる。したがって、各スピーカ部２５，２７から発生した音響が、各スピーカ部２５，２７を配した空間から第２の筐体３の他の内部空間に漏れ出すこと防ぐと共に、第２の筐体３の内部空間において相互に干渉することを防止できる。
【００２５】
さらに、第２の筐体３には垂直面５１ａ，５３ａ及び傾斜面５１ｂ，５３ｂを有する一対の放音孔５１，５３が形成されるとしたが、これに限ることはなく、少なくとも２つのスピーカ部２５，２７から発生した音響が、第２の筐体３の外方において相互に干渉することを防止できる放音孔が形成されていればよい。すなわち、第２の筐体３には、例えば、図６に示すように、その内面２３ａから外面３ｅに向けて相互に延びるように一対の放音孔６１，６３を形成するとしても構わない。
【００２６】
また、上記実施形態においては、２つのスピーカ部２５，２７及び放音孔５１，５３を備える構成について述べたが、これに限ることはなく、３つ以上のスピーカ部（音源部）及び、これらスピーカ部を個々に第２の筐体３の外面３ｅから外方に露出させる３つ以上の放音孔を備える構成であっても構わない。この構成の場合でも、隣接する一対の放音孔の内壁面うち、相互に隣接する側の部分を上記実施形態と同様の垂直面に形成すると共に、この垂直面に対向する部分を上記実施形態と同様の傾斜面に形成することで、第２の筐体３の外方において相互に干渉することを防止できる。
【００２７】
さらに、上記実施形態において、２つの放音孔５１，５３は、第２の筐体３の外面３ｅに形成されるとしたが、これに限ることはなく、例えば、表示部１５の表示面１５ａが露出する第２の筐体３の対向面３ｃや第１の筐体２の対向面２ｃに形成されるとしても構わない。この構成の場合には、表示面１５ａに表示される各種情報に連動して２つのスピーカ部２５，２７からステレオ感覚で聴くことができる音響を発生させることができる。
【００２８】
また、ヒンジ部５によって互いに連結された２つの筐体２，３を備える携帯電話機１について述べたが、これに限ることはなく、少なくとも筐体の同一表面から外方に露出させることができる複数のスピーカ部を備えていればよく、例えば、１つの筐体から構成される携帯電話機であっても構わない。さらに、携帯電話機に限ることはなく、例えば、携帯ラジオやノート型パーソナルコンピュータ等に適用しても構わない。
【００２９】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３０】
【図１】この発明の一実施形態に係る携帯電話機の第１、第２の筐体を相互に開いた状態を示す概略斜視図である。
【図２】図１の携帯電話機において、第１、第２の筐体の筐体を相互に閉じた状態を第２の筐体の外面側から見た様子を示す概略平面図である。
【図３】図１の携帯電話機において、一対のスピーカ部を第２の筐体のリアケースの内面に取り付けた様子を示す概略平面図である。
【図４】図１の携帯電話機において、第２の筐体にカバーガラス及び装飾部材を取り付けた状態を示す概略断面図である。
【図５】図１の携帯電話機において、第２の筐体に形成された放音孔を示す要部拡大断面図である。
【図６】この発明の他の実施形態に係る携帯電話機において、第２の筐体に形成された放音孔を示す要部拡大断面図である。
【符号の説明】
【００３１】
１  携帯電話機（携帯電子機器）
２  第１の筐体（別途筐体）
３  第２の筐体
３ｅ  外面（表面）
５  ヒンジ部（連結部）
２３ａ  内面
２５，２７  スピーカ部（音源部）
２９，３１  隔壁部
３３，３５  段差壁部
３７  回路基板
３７ａ  表面
４７ａ，４９ａ  切欠部
５１，５３，６１，６３  放音孔
５１ａ，５３ａ  垂直面
５１ｂ，５３ｂ  傾斜面
【図１】
2007124000.tif 000003
【図２】
2007124000.tif 000004
【図３】
2007124000.tif 000005
【図４】
2007124000.tif 000006
【図５】
2007124000.tif 000007
【図６】
2007124000.tif 000008